(57)【要約】【課題】  ＦＰＣの形状が複雑、温度センサの配設位置により露光時間の制御が困難。【解決手段】  ＬＣＳ４を構成するガラス基板４ａは、ＬＥＤ２ａとＦＰＣ５ａをつなぐためのＬＥＤ配線１０を有し、ＬＥＤ２ａは、メインＦＰＣ５ａとは別体のＬＥＤ付ＦＰＣ５ｂをＬＥＤ配線１０に接続する。ＬＣＳ４は、温度センサ１１を有し、ガラス基板４ａは、温度センサ１１と、メインＦＰＣ５ａをつなぐための温度センサ配線１２を有し、温度センサ１１は、温度センサ付ＦＰＣ５ｃを温度センサ配線１２に接続する。ＬＥＤ付ＦＰＣ５ｂは、ＬＣＳ４の長手方向の一端に配設し、温度センサ付ＦＰＣ５ｃは、ＬＣＤ４の長手方向の他端に配設する。ＦＰＣの形状は単純化され、製品の取り個数が増しコストダウンになる。温度センサを液晶セル駆動用ＩＣとＬＥＤから離れた位置に配設し、露光のバラツキを防ぎ、印刷に濃淡のない、美しい画像が得られる。【選択図】    図５
2005224945.tif 000002
【特許請求の範囲】
【請求項１】
発光素子と、該発光素子からの入射光をライン状の出力光にする導光体と、該導光体からの出力光の透過量を制御する液晶シャッタと、該液晶シャッタに制御信号を供給する制御回路と、前記液晶シャッタと前記発光素子を前記制御回路に接続する接続部材を有し、該接続部材を介して前記発光素子へ発光駆動信号を供給する光プリンタ装置において、前記液晶シャッタを構成するガラス基板は、前記発光素子と前記接続部材をつなぐための発光素子配線を有し、前記発光素子は、前記接続部材とは別体の発光素子接続部材を前記発光素子配線に接続したことを特徴とする光プリンタ装置。
【請求項２】
前記液晶シャッタは、さらに温度センサを有し、前記液晶シャッタを構成するガラス基板は、前記温度センサと、前記接続部材をつなぐための温度センサ配線を有し、前記温度センサは、前記接続部材とは別体の温度センサ接続部材を前記温度センサ配線に接続したことを特徴とする請求項１記載の光プリンタ装置。
【請求項３】
前記発光素子接続部材は、液晶シャッタの長手方向の一端に配設し、前記温度センサ配線部材は、液晶シャッタの長手方向の他端に配設したことを特徴とする請求項２記載の光プリンタ装置。
【発明の詳細な説明】
【技術分野】
【０００１】
本発明は、ライン露光によって画像を出力する光プリンタ装置に関するものである。
【背景技術】
【０００２】
従来の光プリンタ装置は、発光素子として、赤色（以下Ｒと略す）、緑色（以下Ｇと略す）、青色（以下Ｂと略す）の各発光ダイオード（以下ＬＥＤと略す）を露光光源として、前記ＬＥＤからの入射光をライン状の出力光にする導光体と、該導光体からの出力光の透過量を制御する液晶シャッタ（以下ＬＣＳと略す）と、該ＬＣＳに制御信号を供給する制御回路と、前記ＬＣＳと前記ＬＥＤを前記制御回路と接続するフレキシブル接続部材（以下ＦＰＣと略す）を有し、該ＦＰＣを介してＬＣＤへ発光駆動信号を供給する構造が提案されている。（例えば、特許文献１参照）
また、従来の光プリンタ装置は、基本的に、記録光の光源、整形光学系、光変調器及び結像光学系などをハウジングに収容してユニット化された光学ユニットと、円筒状の露光ドラムを有して構成される。光変調器は、液晶を利用する空間変調素子により記録光を変調する。前記空間変調素子を保持する台座に、発熱モジュールおよび温度センサを保持した構造が提案されている。（例えば、特許文献２参照）
【０００３】
【特許文献１】特開２００３−１１８１９８号公報（第３〜４頁、図１、図５）  上記した特許文献１に開示されている光プリンタ装置は、複数のＬＥＤ（Ｒ、Ｇ、Ｂ）からなる光源と、その光源から出射される光の透過量を制御するシャッタ部材であるＬＣＳと、光源からの光をＬＣＳの方向に反射により導いてライン状に収束させる導光体と、ＬＣＳに制御信号を供給する制御回路と、前記ＬＣＳと前記ＬＥＤを前記制御回路と接続するＦＰＣと、前記ＬＣＳを通過した光を印画紙上に結像させる複数のレンズ群よりなる屈折率分散型レンズと、その屈折率分散型レンズと前記ＬＣＳなどを保持するフレーム体などよりなる。そして、これらの部品は印画紙に近い側から、光学系を構成する屈折率分散型レンズ、ＬＣＳ、ＬＥＤ及び導光体の順に順次配置している。光源はＲ、Ｇ、Ｂの３色のＬＥＤからなり、それによりフルカラーの画像を印画紙上に書き込むことができるようになっている。
【特許文献２】特開平１０−４８７５５号公報（第３頁、図１）  上記した特許文献２に開示されている光プリンタ装置は、その特徴とするところは、空間変調素子を保持する台座と、空間変調素子と共に台座に保持される発熱モジュールおよび温度センサを有して構成される。前記空間変調素子は、液晶を利用する光シャッタを用いた空間変調素子で、露光ドラムの回転軸と平行方向に液晶の光シャッタを複数形成している。前記熱モジールおよび温度センサにより、液晶の温度による応答速度や変調特性、透過率の変動を制御している。
【発明の開示】
【発明が解決しようとする課題】
【０００４】
解決しようとする問題点は、上記した特許文献１に開示した光プリンタ装置は、例えば、移動ヘッドを制御基板に接続するためのＦＰＣは、ＬＣＳとＬＥＤを制御回路に接続する多数の配線パターン（図５参照）を両面に形成し、その形状は複雑である。従って、ＦＰＣを製作する際に、材料から製品の取り個数が制限され、材料の無駄が発生し、コストアップになる。
また、上記した特許文献２に開示した光プリンタ装置は、例えば、ＬＣＳにて光の透過量を変え印画紙上への露光量を制御する際に、温度センサを配設して液晶の温度による応答速度や変調特性、透過率の変動を制御しているが、駆動ＩＣやＬＥＤチップが発熱するので、温度センサの配設位置によっては、ＬＣＳの温度を正確に検出することができない
。そのため、ＬＣＳの露光にバラツキが発生し、印刷の濃淡が出て画像の見栄えが悪くなる。などの問題があった。
【課題を解決するための手段】
【０００５】
上記課題を解決するために、本発明における光プリンタ装置は、発光素子と、該発光素子からの入射光をライン状の出力光にする導光体と、該導光体からの出力光の透過量を制御する液晶シャッタと、該液晶シャッタに制御信号を供給する制御回路と、前記液晶シャッタと前記発光素子を前記制御回路に接続する接続部材を有し、該接続部材を介して前記発光素子へ発光駆動信号を供給する光プリンタ装置において、前記液晶シャッタを構成するガラス基板は、前記発光素子と前記接続部材をつなぐための発光素子配線を有し、前記発光素子は、前記接続部材とは別体の発光素子接続部材を前記発光素子配線に接続したことを特徴とするものである。
【０００６】
また、前記液晶シャッタは、さらに温度センサを有し、前記液晶シャッタを構成するガラス基板は、前記温度センサと、前記接続部材をつなぐための温度センサ配線を有し、前記温度センサは、前記接続部材とは別体の温度センサ接続部材を前記温度センサ配線に接続したことを特徴とするものである。
【０００７】
また、前記発光素子接続部材は、液晶シャッタの長手方向の一端に配設し、前記温度センサ配線部材は、液晶シャッタの長手方向の他端に配設したことを特徴とするものである。
【発明の効果】
【０００８】
本発明の光プリンタ装置は、ＬＣＳを構成するガラス基板に、ＬＥＤ配線および温度センサ配線を形成し、従来、複雑な形状のＦＰＣを、単純な形状のメインＦＰＣ、ＬＥＤ付ＦＰＣ、温度センサ付ＦＰＣに分割することにより、材料から製品を多く取ることができるので、材料を有効活用することができ、製品のコストダウンになる。また、温度センサの配設位置を、発熱するＬＥＤおよび駆動ＩＣの位置から離して配設することにより、温度センサは液晶パネルの温度を正確に検出し、ＬＣＳの開口時間を適正に制御し、露光のバラツキを防ぎ、印刷に濃淡のない、美しい画像を得ることができ、簡単な構造で、安価で、しかも高画質画像の光プリンタ装置を提供することが可能である。
【発明を実施するための最良の形態】
【０００９】
以下図面に基づいて、本発明の最良の実施例を説明する。
【実施例】
【００１０】
図１〜図５は、本発明の実施例に係わり、図１は、光プリンタヘッドの構造を説明する縦断面図、図２は、光プリンタヘッドの上面図、図３は、光プリンタヘッドを搭載した光プリンタの斜視図、図４は、光プリンタヘッドの拡大斜視図、図５は、ＬＣＳを構成するガラス基板に接続するＦＰＣの展開模式図である。図１において、光プリンタヘッドの構造について説明する。１は光プリンタヘッド、１ａはフレーム体、２は複数のＬＥＤ（Ｒ、Ｇ、Ｂ）２ａ（図２、図４参照）からなる光源と後述するヘッドカバーと導光体等により構成される発光ユニット、３はＬＥＤ２ａからの光をＬＣＳの方向に反射により導いてライン状に収束させる導光体、４はＬＥＤ２ａから出射される光の透過量を制御するシャッタ部材であるＬＣＳ、４ａは前記ＬＣＳ４を構成するガラス基板、５はＬＣＳに制御信号を供給する制御回路と、前記ＬＣＳ４と前記ＬＥＤ２ａを前記制御回路と接続するＦＰＣで、５ａはメインＦＰＣ、５ｃは後述する温度センサ配線１２を介して温度センサ１１と接続する温度センサ付ＦＰＣ、６は前記ＬＣＳを通過した光を印画紙７上に結像させる複数のレンズ群よりなるレンズアレイである。そして、これらの部品は印画紙７に近い側から、光学系を構成するレンズアレイ６、ＬＣＳ４、ＬＥＤ２ａ及び導光体３の順に順次
配置して、フレーム１ａで保持されている。光源ＬＥＤ２ａはＲ、Ｇ、Ｂの３色のＬＥＤからなり、ＬＥＤ２ａからの出射光は導光体３の内部に入射して横方向に長く光るライン光（矢印Ａ方向）に変換され、このライン光がＬＣＳ４の画素列を通過して光変調され、さらに、この光変調されたライン光は開口部からレンズアレイ６に入射し、該レンズアレイ６によって、フルカラーの画像を印画紙７上に書き込むことができる。
【００１１】
図２において、ヘッドカバー１３内の収納されている導光体３は、略直方体状をして、その一方の短辺には、Ｒ、Ｇ、Ｂの３色のＬＥＤ２ａによって構成されるＬＥＤユニット２ｂが配置され、また、導光体３の他方の短辺には弾性を有するスペーサ部材１４が配設されている。
【００１２】
また、導光体３の他方の短辺と前記スペーサ部材１４の間には、全反射ミラー１５が配置されている。ここで、前記ヘッドカバー１３内に、前記導光体３とＬＥＤ２ａとスペーサ部材１４と全反射ミラー１５を収納すると、スペーサ部材１４が圧縮されその反力で導光体３がＬＥＤ２ａ側（矢印Ｂ方向）に押し付けられる。その結果、導光体３とＬＥＤ２ａは近接し、導光体３の短辺とＬＥＤ２ａが密着する。また、１６は強散乱性材料を用いた反射膜であり、導光体３の上面にライン状にスクリーン印刷されている。
【００１３】
図３において、光プリンタヘッドを搭載した光プリンタの構成は、外ケース１７内に、光プリンタヘッド１と、制御回路を有する制御基板１８とを収納し、外ケース１７の下部に矢印Ｃ方向に引き出し可能な感光体セット１９を有し、該感光体セット１９の感光体最上部１９ａが光プリンタヘッド１の下部に位置している。光プリンタヘッド１は、矢印Ｃ方向に往復移動可能にする２本のガイド部材２０によって支持され、また、前記ＦＰＣ５によって制御基板１８と電気的に接続される。また、光プリンタヘッド１は移動方向に対して側方部分に形成している支持部２１を有し、前記ガイド部材２０上に沿って移動可能な構造になっている。
【００１４】
図３において、光プリンタの動作について説明する。前記制御基板１８がＦＰＣ５を介して光プリンタヘッド１の発光ユニット２とＬＣＳ４に制御信号を出力すると、発光ユニット２はＲ、Ｇ、Ｂの３色光を順次発光し、ＬＣＳ４は制御基板１８からの画像データに基づいてライン状の画素列を選択的にＯＮ／ＯＦＦ制御し、そのライン状の画素列の真下に位置する前記レンズアレイ６を介して感光体カセット１９の印画紙７上に画像を露光するものである。
【００１５】
図４において、前記導光体３はヘッドカバー１３内に収納されている。前述したように、導光体３の一方の短辺には、ＬＥＤ２aが実装基板２２に半田などによって表面実装され、実装基板２２は前記ヘッドカバー１３内に接着剤などによって固着されている。前記ＬＥＤ２ａは、前記導光体３の短辺と向き合って配置され、ＬＥＤ２ａからの出射光は、導光体３の短辺を入射面として導光体３内に入射される。
【００１６】
図５において、本発明の特徴とするＦＰＣについて説明する。前記ＦＰＣ５を、ＬＣＳ４に制御信号を供給する制御回路と接続するメインＦＰＣ５ａと、ＬＥＤ付ＦＰＣ５ｂと、温度センサ付ＦＰＣ５ｃの三つの単純な形状に分割する。８はガラス基板４ａ上に実装された液晶セル駆動用ＩＣ、９はライン状に整列した画素部である。
【００１７】
前記ＬＣＳ４を構成するガラス基板４ａには、前記ＬＥＤ２ａとＬＥＤ付ＦＰＣ５ｂをつなぐためのＬＥＤ配線１０を有し、前記ＬＥＤ２ａは、前記メインＦＰＣ５ａとは別体のＬＥＤ付ＦＰＣ５ｂを前記ＬＥＤ配線１０に接続する。また、前記ＬＥＤ付ＦＰＣ５ｂは、ＬＣＳ４の長手方向の一端（図５では右側）に配設する。
【００１８】
ここで、前記ＬＥＤ２ａとＬＥＤ付ＦＰＣ５ｂをつなぐためのＬＥＤ配線１０は、従来の一般的な透明電極（ＩＴＯ電極）だと、抵抗が大きく十分な電流が供給できないので、抵抗を下げるために、ガラス基板４ａ上にクロム膜を形成し、その上にＩＴＯ電極を形成する。
【００１９】
さらに、ガラス基板４ａには、前記温度センサ１１と温度センサ付ＦＰＣ５ｃをつなぐための温度センサ配線１２を有し、前記温度センサ１１は、前記メインＦＰＣ５ａとは別体の温度センサ付ＦＰＣ５ｃを前記温度センサ１１に接続する。そして、前記温度センサ付ＦＰＣ５ｃは、前記ＬＥＤ２ａおよび液晶セル駆動用ＩＣ８の位置から離し、ＬＣＳ４の長手方向の他端（図５では左側）に配設する。
【００２０】
以上述べた光プリンタ装置の作用・効果について説明する。前記ＬＣＳ４を構成するガラス基板４ａの長手方向に沿って、ＬＥＤ配線１０と温度センサ配線１２を振り分けて形成し、それぞれの配線１０、１２に、単純形状に分割されたＬＥＤ付ＦＰＣ５ｂと温度センサ付ＦＰＣ５ｃを接続することにより、ＦＰＣ５（５ａ、５ｂ、５ｃ）の取り個数が多くコストダウンができると同時に、温度センサ１１の配設位置が、発熱するＬＥＤ２ａおよび液晶セル駆動用ＩＣ８の位置から離れて配設されているので、温度センサ１１は液晶パネルの温度を正確に検出し、ＬＣＳ４の開口時間を適正に制御し、露光のバラツキを防ぎ、印刷に濃淡のない、美しい画像を得ることができ、簡単な構造で、安価で、しかも高画質画像の光プリンタ装置を提供することができる。
【図面の簡単な説明】
【００２１】
【図１】本発明の実施例に係わる光プリンタヘッドの構造を説明する縦断面図である。
【図２】図１の光プリンタヘッドの上面図である。
【図３】図１の光プリンタヘッドを搭載した光プリンタの斜視図である。
【図４】図１の光プリンタヘッドの拡大斜視図である。
【図５】図1のＬＣＳを構成するガラス基板に接続するＦＰＣの展開模式図である。
【符号の説明】
【００２２】
１  光プリンタヘッド
１ａ  フレーム体
２  発光ユニット
２ａ  ＬＥＤ（Ｒ、Ｇ、Ｂ）
２ｂ  ＬＥＤユニット
３  導光体
４  ＬＣＳ
４ａ  ガラス基板
５  ＦＰＣ
５ａ  メインＦＰＣ
５ｂ  ＬＥＤ付ＦＰＣ
５ｃ  温度センサ付ＦＰＣ
６  レンズアレイ
７  印画紙
８  液晶セル駆動用ＩＣ
９  画素部
１０  ＬＥＤ配線
１１  温度センサ
１２  温度センサ配線
１３  ヘッドカバー
１６  反射膜
１７  外ケース
１８  制御基板  
１９  感光体カセット
２２  実装基板
【図１】
2005224945.tif 000003
【図２】
2005224945.tif 000004
【図３】
2005224945.tif 000005
【図４】
2005224945.tif 000006
【図５】
2005224945.tif 000007